(57)【要約】【課題】針の径の大小に拘わらず、どのような針でもゴム栓を確実に挿通させるようにすることができる薬用瓶の蓋を提供することを課題とする。【解決手段】薬用瓶４の瓶口はゴム栓５によって填塞されている。ゴム栓５の上部には蓋２が冠着している。ゴム栓５および蓋２は口金１によって瓶口に固定されている。蓋２には透孔２３が形成されており、透孔２３の縁の部分には針案内部２４が形成されている。また、瓶口の上面部と対向する位置に、ゴム栓押さえ部２５が突設されている。瓶口の上面部とゴム栓押さえ部２５によってゴム栓５のフランジは挾持される。【選択図】　図１
2004081684.tif 000002
【特許請求の範囲】
【請求項１】
薬用瓶の瓶口の開口部を填塞するゴム栓が、頂面板に透孔を有する逆有底円筒状の口金によって、前記瓶口の上部に固定されている薬用瓶の前記ゴム栓の上部と前記口金との間に介装される薬用瓶の蓋において、
前記蓋は、前記ゴム栓の上部に冠着可能な逆有底円筒状に形成され、頂面板には透孔が形成され、当該透孔の縁の部分には、上方に向かって延在する針案内部が形成されていることを特徴とする薬用瓶の蓋。
【請求項２】
前記針案内部の上端部は曲面状となっていることを特徴とする請求項１に記載の薬用瓶の蓋。
【請求項３】
薬用瓶の瓶口の開口部を填塞するゴム栓が、頂面板に透孔を有する逆有底円筒状の口金によって、前記瓶口の上部に固定されている薬用瓶の前記ゴム栓の上部と前記口金との間に介装される薬用瓶の蓋において、
前記蓋は、前記ゴム栓の上部に冠着可能な逆有底円筒状に形成され、頂面板には透孔が形成され、当該頂面板の前記瓶口の上面部と対向する部分には、前記瓶口の上面部に向う方向に突設されたゴム栓押さえ部が形成されていることを特徴とする薬用瓶の蓋。
【発明の詳細な説明】
【０００１】
【発明の属する技術分野】
本発明は、バイアル等の薬用瓶の瓶口に装着される蓋に関するものである。
【０００２】
【従来の技術】
図５は従来の薬用瓶の構成を示す断面図であり、図６は瓶口に装着されている蓋、口金、外蓋の分解斜視図である。
【０００３】
この薬用瓶の蓋口には、図６に示すような、アルミ等の軟質金属薄板によって逆有底円筒状に形成した口金１と、前記口金１の頂面内側に嵌合させることができ、且つ、口金１と相似形状に形成した蓋２と、前記口金１の頂面部を含む上半部に冠着させることのできる合成樹脂製の外蓋３とが装着されている。
【０００４】
口金１は、適宜の高さをした周胴部１１の上面に頂面板１２を形成することによって逆有底円筒状に形成されている。
【０００５】
１３は頂面板１２の中央部に穿設した透孔であり、図５に示すように、この透孔１３を通して薬用瓶４の瓶口を填塞しているゴム栓５の上面が露出できるようになっている。
【０００６】
１４は頂面板１２に穿設した透孔１３の周囲に形成された適宜の幅を持った溝であり、この溝１４の両端部が形成された頂面板１２から周胴部１１の上端部に達するように２本の切り裂き筋１６，１７を刻設することによって、この溝１４に囲まれる内側が引き起こし用の剥離環１５となるように構成されている。１４ａは、薬用瓶４の瓶口から口金本体１を剥離する際、その剥離が容易に行なわれるように頂面板１２に設けられたスリットである。なお、１９は口金１を薬用瓶の瓶口部に巻き締めるときの巻締位置を示している。
【０００７】
蓋２は、周胴部２１の上端に頂面板２２を連続されることによって逆有底円筒状に形成するものであり、口金本体１と相似形状をなし、これに嵌合することができる大きさとして形成するものである。この蓋２は、口金１と同質材のアルミ等の軟質金属薄板によって形成されているが、この蓋２は合成樹脂によって形成してもよい。
【０００８】
前記した周胴部２１の高さは、図５に示すように、ゴム栓５のフランジの高さよりも低く形成してあり、使用時において前記したゴム栓５のフランジの周胴に密着できるようにしてある。
【０００９】
２３は蓋２の頂面板２２に穿設した透孔であり、この透孔２３の大きさは、口金１の頂面板に穿設した透孔１３よりも小さい寸法となっている。これによって、外蓋３を剥離除去する際に内蓋２から外れる係止突起３９を口金１の透孔１３を通して上面に引き上げることができる（図５参照）。
【００１０】
口金１の上面に冠着する外蓋３は、適宜の硬度を有する合成樹脂を用いて形成するものであり周胴部が口金１の周胴部１１に少しだけかぶさることができる浅い倒皿状となるように形成されている。
【００１１】
外蓋３の裏面中央部には、図５に示すように、蓋２に穿設した透孔２３の円周に当接しながら折り曲げ係止することのできる係止突起３９が突設されており、透孔２３に嵌合したのち、蓋２の内側から折り曲げ加圧することにより、或いは同じく内側から加熱することにより押し広げられながら倒伏させられるように折り曲げ自在に突設されている。
【００１２】
次に、図７を用いて口金１の構成について詳しく説明する。
【００１３】
図７（ａ）は口金１を裏面側から視た斜視図であり、図７（ｂ）は口金１を正面側から視た斜視図である。
【００１４】
図７（ａ），（ｂ）において、図５および図６と同一符号のものは同一のものを示している。図７（ａ），（ｂ）に示したように第１の切り裂き筋１６の先端は周胴部１１の下端部に達しており、第２の切り裂き筋１７の先端は周胴部１１内に位置している。
【００１５】
第１の切り裂き筋１６は、頂面板１２内の切り裂き筋１６ａと、周胴部１１内の切り裂き筋１６ｂおよび１６ｃとから構成されている。ここで、周胴部１１内の切り裂き筋１６ｃは、切り裂き筋１６ｂの先端から周胴部１１の下端部に至る切り裂き筋であり、切り裂き筋１６ｂに比して幅が狭くまたその深さも浅くなっている。このように巻締位置１９付近の切り裂き筋の幅を狭く且つ深さを浅くすることによって、瓶口部への巻締工程における口金１の強度を確保している。
【００１６】
第２の切り裂き筋１７は、頂面板１２内の切り裂き筋１７ａと周胴部１１内の切り裂き筋１７ｂとから構成されている。そして、この切り裂き筋１７ｂの先端は図示したように周胴部１１内に位置している。
【００１７】
以上のように構成された口金１，蓋２および外蓋３を組み立て、ゴム栓５が嵌合している薬用瓶４の瓶口部に冠着させ、口金１の周胴部１１の下端部を巻締め機によって巻締め固定することにより、口金１，蓋２および外蓋３は薬用瓶に装着される。
【００１８】
図５に示したような構成の薬用瓶においては、少量の薬液を使用するときは、外蓋３のみを除去しゴム栓５に注射針を挿通させて薬液を取り出し、大量の薬液を使用するときには、外蓋３を除去した後、図８に示すように剥離環１５を引っ張って口金１を除去し、ゴム栓５を外して内部の薬液を取り出す。
【００１９】
【発明が解決しようとする課題】
以上説明した従来の薬用瓶においては、ゴム栓５に通常の金属製の注射針を挿通させる場合には、特に問題となることはないが、両頭針のような径の太いプラスチック製の針を挿通させる場合には、以下のような問題があった。
【００２０】
すなわち、径の太いプラスチック製の針をゴム栓５に挿通させる場合には、その位置決めが難しく、針を刺す際、刺す位置が蓋２の透孔２３から多少ずれると、図９に示したように針６の先端部が蓋２の頂面板２２に当たってしまい、その結果として針先が傷むことがあり、そのような場合には、それ以後、ゴム栓５に針６が刺しにくくなってしまうという問題があった。
【００２１】
またこのような径の太いプラスチック製の針６をゴム栓５に刺す場合には、刺す角度によっては、図１０に示したように、針６からゴム栓５に加わる力によってゴム栓５のフランジが瓶口の上面を滑り、瓶口の開口部内に入ってしまい、その結果、針６をゴム栓５に挿通させることが困難になってしまうという問題もあった。
【００２２】
本発明の目的は、針の径の大小に拘わらず、どのような針でもゴム栓を確実に挿通させるようにすることができる薬用瓶の蓋を提供することにある。
【００２３】
【課題を解決するための手段】
本発明によれば、第１に、薬用瓶の瓶口の開口部を填塞するゴム栓が、頂面板に透孔を有する逆有底円筒状の口金によって、前記瓶口の上部に固定されている薬用瓶の前記ゴム栓の上部と前記口金との間に介装される薬用瓶の蓋において、前記蓋は、前記ゴム栓の上部に冠着可能な逆有底円筒状に形成され、頂面板には透孔が形成され、当該透孔の縁の部分には、上方に向かって延在する針案内部が形成されていることを特徴とする薬用瓶の蓋を提供することができる。
【００２４】
本発明によれば、第２に、薬用瓶の瓶口の開口部を填塞するゴム栓が、頂面板に透孔を有する逆有底円筒状の口金によって、前記瓶口の上部に固定されている薬用瓶の前記ゴム栓の上部と前記口金との間に介装される薬用瓶の蓋において、前記蓋は、前記ゴム栓の上部に冠着可能な逆有底円筒状に形成され、頂面板には透孔が形成され、当該頂面板の前記瓶口の上面部と対向する部分には、前記瓶口の上面部に向う方向に突設されたゴム栓押さえ部が形成されていることを特徴とする薬用瓶の蓋を提供することができる。
【００２５】
【発明の実施の形態】
以下、図面を用いて本発明の実施形態について説明する。
【００２６】
図１は、本発明の一実施形態に係る蓋２が装着されている薬用瓶の構成を示す断面図である。また図２は、図１に示した口金１と蓋２との構成を示す分解斜視図であり、図３は蓋２の断面図である。
【００２７】
図１において、蓋２以外のものは図５に示した従来例と同様の構成であるので、その説明は省略する。なお、図１は、図５に示した外蓋３が外された状態での断面図である。
【００２８】
本実施形態に係る蓋２においては、図１ないし図３に示したように、透孔２３の縁の部分に、上方に向かって延在する針案内部２４が形成されている。
【００２９】
図３に示したように、この針案内部２４は、その上端部２４ａが曲面状になるように加工されている。
【００３０】
また、図１に示したように、頂面板２２の瓶口の上面部と対向する部分には、瓶口の上面部に向かう方向に突設されたゴム栓押さえ部２５が円状に形成されている。ゴム栓５のフランジは、このゴム栓押さえ部２５と瓶口の上面部とによって挾持されている。
【００３１】
本実施形態においては、ゴム栓押さえ部２５は、瓶口の上面部の形状に沿うように円状に形成されているが、このゴム栓押さえ部２５の形状は、円状に突設された形状に限られるものではなく、瓶口の上面部と対向する位置に突設されていればどのような形状であってもよい。
【００３２】
以上のように構成された本実施形態に係る蓋２が装着された薬用瓶においては、図４に示したように、針案内部２４が形成されているので、針６の先端部が透孔２３の外にずれることがなく、針６の先端を、透孔２３から露出しているゴム栓５の上面に確実に刺すことができる。
【００３３】
また、針６をゴム栓５に刺す際に針６の先端部が針案内部２４の上端部に接触したとしても、この上端部は曲面状となっているために、この接触によって針の先端部が傷むようなことはない。
【００３４】
さらに、ゴム栓５のフランジが、瓶口の上面部とゴム栓押さえ部２５とによって挾持されているために、図１０に示したような角度で針６を刺した場合でもゴム栓５のフランジが瓶口の上面を滑って、開口部内に入るようなことはない。
【００３５】
【発明の効果】
以上説明したように、本発明によれば、針の径の大小に拘わらず、どのような針でもゴム栓を確実に挿通させるようにすることができる薬用瓶の蓋を提供することができる。
【図面の簡単な説明】
【図１】本発明の一実施形態に係る蓋が装着されている薬用瓶の断面図である。
【図２】図１に示した口金および蓋の分解斜視図である。
【図３】図１に示した蓋の断面図である。
【図４】図１に示した薬用瓶の説明図である。
【図５】従来の薬用瓶の構成を示す断面図である。
【図６】図５に示した蓋、口金、外蓋の分解斜視図である。
【図７】図５に示した口金の構成を示す斜視図である。
【図８】従来の薬用瓶の説明図である。
【図９】従来の薬用瓶の説明図である。
【図１０】従来の薬用瓶の説明図である。
【符号の説明】
１　口金
２　蓋
３　外蓋
４　薬用瓶
５　ゴム栓
６　針
１２，２２　頂面板
１３，２３　透孔
２４　針案内部
２４ａ　上端部
２５　ゴム栓押さえ部
【図１】
2004081684.tif 000003
【図２】
2004081684.tif 000004
【図３】
2004081684.tif 000005
【図４】
2004081684.tif 000006
【図５】
2004081684.tif 000007
【図６】
2004081684.tif 000008
【図７】
2004081684.tif 000009
【図８】
2004081684.tif 000010
【図９】
2004081684.tif 000011
【図１０】
2004081684.tif 000012